(57)【要約】      （修正有）【課題】型開き作業、修理の際に金型を上向きにする作業、修理後の型合わせ作業などが簡単に行うことのできる金型メンテナンス装置を提供する。【解決手段】ベッド上の一端部には型開閉用油圧シリンダーを備えた固定台を設け、他端部には可動台を設けて前記型開閉用油圧シリンダーにより進退自在とし、固定台と可動台の互いの対向面に金型取付台を垂直に設けると共に、その上部を固定台と可動台に反転用支点により回転自在に設け、可動台と固定台の各々の左右には、前記型開閉用油圧シリンダーのプラス能力以上のマイナス能力を有する反転位置決め用油圧シリンダーを軸支し、それらのピストンロッドを金型取付台に連結すると共に金型取付台とこの上に載置された金型を締着自在とした反転機能付金型メンテナンス装置。【選択図】図１
0003115653.tif 000002
【実用新案登録請求の範囲】
【請求項１】
ベッド上の一端部には型開閉用油圧シリンダーを備えた固定台を設け、他端部には可動台を設けて前記型開閉用油圧シリンダーにより進退自在とし、固定台と可動台の互いの対向面に金型取付台を垂直に設けると共に、その上部を固定台と可動台に反転用支点により回転自在に設け、可動台と固定台の各々の左右には、前記型開閉用油圧シリンダーのプラス能力以上のマイナス能力を有する反転位置決め用油圧シリンダーを軸支し、それらのピストンロッドを金型取付台に連結すると共に金型取付台とこの上に載置された金型を締着自在とした反転機能付金型メンテナンス装置。
【考案の詳細な説明】
【技術分野】
【０００１】
本考案は金型の修理に際して、その作業が容易にでき、且つ正確な作業のできる金型のメンテナンス装置に関するものである。
【背景技術】
【０００２】
従来金型を修理するときには、成形機から一対の金型を外して所定場所に移動させ、金型の間に楔等を打ち込むなどしてこじ開け、型開きした後修理する型面を上向きにして修理をしていた。
修理の際金型を上向きにする作業、修理後の型合わせ作業などが面倒でその改善が望まれており、殊に金型は極めて高精密にできているため、その型開き作業、型嵌め作業にはわずかの「ズレ」も許されなく細心の技術、注意力が要求されている。
【考案の開示】
【考案が解決しようとする課題】
【０００３】
そこで本考案は、型開き作業、修理の際に金型を上向きにする作業、修理後の型合わせ作業などが簡単に行うことのできる金型メンテナンス装置を提供しようとするものである。
【課題を解決するための手段】
【０００４】
本考案は、ベッド上の一端部には型開閉用油圧シリンダーを備えた固定台を設け、他端部には可動台を設けて前記型開閉用油圧シリンダーにより進退自在とし、固定台と可動台の互いの対向面に金型取付台を垂直に設けると共に、その上部を固定台と可動台に反転用支点により回転自在に設け、可動台と固定台の各々の左右には、前記型開閉用油圧シリンダーのプラス能力以上のマイナス能力を有する反転位置決め用油圧シリンダーを軸支し、それらのピストンロッドを金型取付台に連結してなる反転機能付金型メンテナンス装置である。
【考案の効果】
【０００５】
本考案は、修理の際に金型を上向きにする作業、修理後の型合わせ作業などが簡単に行うことができる。
【実施例】
【０００６】
本考案を図示の実施例によって詳記すると、ベッド１上の一端部には型開閉用油圧シリンダー２を備えた固定台３を設け、他端部には可動台４を設けて前記型開閉用油圧シリンダー２により進退自在とし、固定台３と可動台４の互いの対向面に金型取付台５，５を垂直に設けると共に、その上部を固定台３と可動台４に反転用支点６により回転自在とし、可動台４と固定台３の各々の左右には、前記型開閉用油圧シリンダー２のプラス能力以上のマイナス能力を有する反転位置決め用油圧シリンダー７，７を軸支し、両側には左右各一対の反転位置決め用油圧シリンダー７，７を軸支し、それらのピストンロッド７’を金型取付台５，５の背面両側に連結して、各々の金型取付台５、5を一対の反転位置決め用油圧シリンダー７，７により９０度反転自在としてあり、金型取付台５，５とこの上に載置された金型８，８を固定クランプ１０により締着自在としてあり、又可動台４と固定台３の対向面下部には垂直位置決めストッパー１４を設けてある。
【０００７】
左右一対の反転位置決め用油圧シリンダー７，７は、型開閉用油圧シリンダー２のプラス能力以上のマイナス能力を有する反転位置決め用油圧シリンダー７，７を軸支しているので、型開閉用油圧シリンダー２が型開き方向(プラス方向)に作動しても金型８，８は反転位置決め用油圧シリンダー７，７はより以上の能力でもって金型8，8を夫々の位置決めストッパー14に押圧され、油圧シリンダー2が作動しても金型取付台5，5上の金型8，8はブレルことなく金型5，5の平行精度が確保され、その後の金型8，8の型開き作業、型合わせ作業が簡単にできるようになる。
【０００８】
図中９は金型８のガイドピンで左右の金型８，８がより正確に合わさるようようにしてあり、１０は固定クランプで左右の金型８、８を金型取付台５、５に締着させる。１１は可動台４の平行移動用のリニアガイドでベッド１上に設けたレール１２を移動する。１３は油圧ユニット、１５は金型取付台５，５の略中央に設けた操作穴でエジェクター機構用エアシリンダー（図示せず。）を付ける為のもので、これは反転位置決め用油圧シリンダー７，７を取付台５，５の各々の左右に設けることによりはじめて可能となる。このエジェクター機構は、金型８，８の製品突き出しのための突き出しピンの動きを確認するためにエアシリンダーで約５ｃｍ、ロッドを金型８，８の突き出し用穴に押し込み、突き出しピンを作動させるものである。
【作用】
【０００９】
本考案は以上のように構成されるもので、その作用は以下のようになる。
図４〜１０に示すようにチェーン等により吊下げた金型８、８(図４)を金型取付台５、５上に載せ(図５)た後、固定クランプ１０により各々の金型8，8を取付台５，５に固定クランプ10によりを締着し(図６)、その後反転位置決め用油圧シリンダー7，7をマイナス方向(引き方向)に作動させ金型8，8をストッパー14に強力に押圧させ、型開閉用油圧シリンダー２を作動させて金型８，８を確実に開くようにしてある。
【００１０】
最後まで開かれた金型取付台５，５は図９、１０に示すように反転位置決め用シリンダー７，７により反転され、その状態で金型８、８を修理する。修理の終わった金型８は上記手順の反対の作業により金型８，８のメンテナンスを行う。
【００１１】
即ち反転位置決め用油圧シリンダー7，7は型開閉用油圧シリンダー2の能力以上の力で金型８，8を金型取付台5，5のストッパー14に押圧しているので、型開閉用油圧シリンダー2が作動しても金型8，8は固定クランプ10に締着されたままの状態を維持し、ズレたりすることなく確実に精度を保った型開き、型合わせすることができる。
【図面の簡単な説明】
【００１２】
【図１】本考案に係る反転機能付金型メンテナンス装置(金型を開いた状態)の正面説明図。
【図２】同平面説明図。
【図３】同側面説明図。
【図４．５．６．７．８．９．１０】同装置の作動状態正面説明図。
【符号の説明】
【００１３】
１はベッド
２は型開閉用油圧シリンダー
３は固定台
４は可動台
５、５は金型取付台
６は反転用支点
７は反転位置決め用油圧シリンダー
７’はピストンロッド
８は金型
９はガイドピン
１０は固定クランプ
１４はストッパー
１５は操作穴
【図１】
0003115653.tif 000003
【図２】
0003115653.tif 000004
【図３】
0003115653.tif 000005
【図４】
0003115653.tif 000006
【図５】
0003115653.tif 000007
【図６】
0003115653.tif 000008
【図７】
0003115653.tif 000009
【図８】
0003115653.tif 000010
【図９】
0003115653.tif 000011
【図１０】
0003115653.tif 000012
【手続補正書】
【提出日】平成17年8月10日(2005.8.10)
【手続補正１】
【補正対象書類名】図面
【補正対象項目名】図１
【補正方法】変更
【補正の内容】
【図１】
0003115653.tif 000013